(57)【要約】【課題】早期に室内空間に微生物及び細菌類が殺菌されたきれいな空気及びオゾンレスの陰（マイナス）イオンを発生させることにより、安定な空間を提供することを目的とする。【解決手段】大気を本体内に吸引する吸気口５５と、吸引した空気を大気へ放出する排気口６３と、光電子放出材７８と照射源７９から構成され該光電子放出材７８に照射源７９からの紫外線を照射することで光電子を発生し、合わせて紫外線で排気の殺菌を行うマイナスイオン発生部８０を備え、前記照射源７９の長手方向を排気の流れ方向に対して略直角にして照射源７９の長手方向に排気流路を拡大することで、早期に殺菌されたきれいな空気及びマイナスイオンを部屋全体に拡散することが出来る。【選択図】　図１
2004020144.tif 000002
【特許請求の範囲】
【請求項１】
大気を本体内に吸引する吸気口と、吸引した空気を大気へ放出する排気口と、吸引作用を有する電動送風機と、前記吸引した空気から塵埃および／または臭いを取り除くフィルターと、紫外線を照射する照射源を備え、前記照射源の長手方向を排気の流れ方向に対して略直角に配設した空気調和機。
【請求項２】
大気を本体内に吸引する吸気口と、吸引した空気を大気へ放出する排気口と、吸引作用を有する電動送風機と、前記吸引した空気から塵埃および／または臭いを取り除くフィルターと、光電子放出材と照射源から構成され該光電子放出材に照射源からの紫外線を照射することで光電子を発生するマイナスイオン発生部を備え、前記照射源の長手方向を排気の流れ方向に対して略直角に配設した空気調和機。
【請求項３】
照射源の両端を支持した請求項１または２記載の空気調和機。
【請求項４】
照射源の両端をカクヘキのリブと光電子放出材で挟みこんで支持した請求項１〜３のいずれか１項に記載の空気調和機。
【請求項５】
照射源の両端を弾性体を介して支持した請求項１〜４のいずれか１項に記載の空気調和機。
【請求項６】
照射源の支持部近傍に照射源への給電線の保持部を設けた請求項１〜５のいずれか１項に記載の空気調和機。
【請求項７】
紫外線を照射する照射源を備えた排気通路を階段状に構成した請求項１〜６のいずれか１項に記載の空気調和機。
【請求項８】
階段状の排気通路のほぼ中央に紫外線を照射する照射源を設けた請求項１〜７のいずれか１項に記載の空気調和機。
【請求項９】
階段状の排気通路壁面に凹部及び／または凸部を設けた請求項１〜８のいずれか１項に記載の空気調和機。
【請求項１０】
階段状の排気通路壁面に低反射率の層体または膜体を設けた請求項１〜９のいずれか１項に記載の空気調和機。
【請求項１１】
低反射率の層体または膜体を難燃性を有する暗色彩の部材とした請求項１〜１０のいずれか１項に記載の空気調和機。
【請求項１２】
階段状の排気通路の入り口及び／または出口から外部に放射される光量を２０ルクス以下とした請求項１〜１１のいずれか１項に記載の空気調和機。
【請求項１３】
照射源の上流及び／又は下流側に庇を設けた請求項１〜１２のいずれか１項に記載の空気調和機。
【請求項１４】
上流及び／又は下流側の庇を保護カバーに一体に形成した請求項１〜１３のいずれか１項に記載の空気調和機。
【請求項１５】
紫外線保護カバーの一部に光電子放出材を施した請求項１〜１４のいずれか１項に記載の空気調和機。
【請求項１６】
紫外線保護カバーの内壁面に光電子放出材を施した請求項１〜１４のいずれか１項に記載の空気調和機。
【請求項１７】
光電子放出材を負の電位にした請求項１〜１６のいずれか１項に記載の空気調和機。
【請求項１８】
マイナスイオン放出口の長手方向の寸法を排気口の長手方向の寸法の５０％以上とした請求項１〜１７のいずれか１項に記載の空気調和機。
【請求項１９】
マイナスイオン放出口と排気口を略平行に設けた請求項１〜１８のいずれか１項に記載の空気調和機。
【請求項２０】
マイナスイオン放出口の長手方向の格子形状線を本体外郭形状に沿わせた請求項１〜１９のいずれか１項に記載の空気調和機。
【請求項２１】
マイナスイオン放出口の格子リブの高さを４〜１０ｍｍとした請求項１〜２０のいずれか１項に記載の空気調和機。
【発明の詳細な説明】
【０００１】
【発明の属する技術分野】
本発明は、室内の汚れた空気、臭い空気を吸い込み、浄化、脱臭し、再度室内に循環させる空気調和機に関するものである。
【０００２】
【従来の技術】
従来のこの種の空気調和機は、図１９〜図２５に示すように構成していた。以下、その構成について説明する。
【０００３】
図１９〜図２５に示すように、本体前面を成すフロントグリル１、同フロントグリル１を取り外した内側には本体前２、中間部を成す本体隔壁３、後部を成する本体後４で本体を形成し、本体前面のフロントグリル１には凹状の中央部１ａに前面吸気口５が設けられている。６は、本体隔壁３と本体後４との間に形成された渦室で、内部にはモータ７に連結されたファン８を有して電動送風機を構成している。本体隔壁３の前面には吸い込み口９とリブ１０が設けられており、リブ１０は、その前面に配置した脱臭用の活性炭フィルターと集塵用の帯電フィルターを合わせたフィルター１１を支持している。
【０００４】
また前記吸い込み口９はモータ７及びファン８から構成される電動送風機と連通している。１２は、本体後４の上方に形成された排気口で、本体隔壁３と本体後４との間に形成された渦室６へと連通している。フロントグリル１を取り外した内側には、本体前２が本体の前面上方に配設され、前面に表示部１３、切り替えスイッチ１４、及び空気中の臭いを検知する臭い検知センサ１５、空気中の塵埃の多少を検知する粒子検知センサ１６の各々が配置されている。本体前２の内部には制御回路１７と上記各センサを有し、運転操作は、上記切り替えスイッチ１４により操作することができる。
【０００５】
本体上１８は、本体隔壁３上部で本体前２と本体後４によって挟み込まれ、マイナスイオン放出口１９を有している。
【０００６】
２０は、マイナスイオン発生部ユニットで内部に光電子放出材２１とその光電子放出材２１に紫外線を照射する照射源２２とから成るマイナスイオン発生部２３を有する。マイナスイオン発生部２３は、光電子放出材２１、該光電子放出材２１への紫外線の照射源２２より構成され、光電子放出材２１は、光電子放出材２１の表面に、紫外線を照射しながら、該光電子放出材２１の表面に気流を導入して該光電子放出材２１の表面に光電子（マイナスイオン２４）を発生させるものである。紫外線を照射する照射源２２としては紫外線ランプ２５を用い、内部にフィラメント及び水銀の球体を有するランプ部２６と磁器（陶器）製のソケット２７に取付けるためのねじ形状を成した口金部２８とから成る。
【０００７】
また紫外線を照射する照射源２２は、制御回路１７に接続されており照射源２２照射をＯＮ−ＯＦＦ間欠させたり、照射源２２の紫外線照射強度を可変する等の制御が行われマイナスイオン２４の発生量を可変している。
【０００８】
光電子放出材２１は、円筒状の金属の材料で、前記円筒状の内面を含む全体にＡｕ（金）の表層を有する表面処理が施されている。紫外線ランプ２５を取付けたソケット２７は、板金で形成された固定台２９にねじ締め固定され、さらに固定台２９は保護カバー下３０にねじ締め固定されている。保護カバー上３１は、保護カバー下３０を上方から覆うように取り付けられており、紫外線ランプ２５から照射される紫外線が外部に漏れないようにすると共に気流が通る通路を形成しており、マイナスイオン発生部２３への気流のガイドとなる気流取入れ口３２やマイナスイオン放出口１９までの流路を形成している。また円筒状の光電子放出材２１の外周で保護カバー上３１と保護カバー下３０との間には、パッキン３３が取り付けられており、気流が通る通路は円筒状の光電子放出材２１の内面だけと成るようエアータイトされている。
【０００９】
上記構成において、動作を説明すると、切り替えスイッチ１４によりモータ７を回転させると、同モータ７に連結されたファン８が回転し、前面吸気口５より空気が吸い込まれる。吸引された気流は活性炭フィルターと帯電フィルターを合わせたフィルター１１を通り、排気口１２へと排気されて空気が脱臭、浄化されていく。
【００１０】
また自動運転では、室内の空気の汚れに応じて各々のセンサが検知を行う。ほこり等を粒子検知センサ１６が検知し、タバコ煙等の臭いを臭い検知センサ１５が検知し、各々の濃度によって変化する各センサの出力に応じて制御回路１７がモータ７を制御して風量を強弱させる可変運転を行う。
【００１１】
そして、フィルター１１を通り、排気口１２へと排気される空気は、マイナスイオン発生部ユニット２０の気流取入れ口３２より排気の一部が流れ込みマイナスイオン発生部２３へと流入する。マイナスイオン発生部２３へと流入した気流は、紫外線ランプ２５から照射される紫外線により空気中のウイルス、バクテリア、酵母、かび等の微生物及び細菌類が殺菌されると共にマイナスイオン２４が生成される。即ち、光電子放出材２１に、紫外線ランプ２５からの紫外線を照射することにより光電子（マイナスイオン）２４が得られる。このようにして得られた、殺菌され且つマイナスイオン２４を含んだ気流は、マイナスイオン放出口１９より放出される。この時、排気口１２を経て室内に排気されるこの気流に乗せて微生物及び細菌類が殺菌されると共にマイナスイオン２４を含んだ気流は部屋内全体に拡散され、部屋内の微生物及び細菌類の量は徐々に低下し、きれいな空気になっていくと共にマイナスイオン２４によって微粒子等を電気的に中和もしくは負の電荷を帯びさせ安定な室内空間を提供することが出来る。
【００１２】
【発明が解決しようとする課題】
しかしながら上記従来の空気調和機では、マイナスイオン発生部ユニット２０の気流取入れ口３２より排気の一部が流れ込みマイナスイオン発生部２３へと流入し、マイナスイオン発生部２３へと流入した気流は、微生物及び細菌類が殺菌されると共にマイナスイオン２４が生成されるが、気流が通る通路は円筒状の光電子放出材２１の内面だけになっているため、気流の通路断面積が非常に狭く、排気口１２を経て室内に排気される排気の極一部しかマイナスイオン発生部２３へ流入することが出来ず、微生物及び細菌類が殺菌されると共にマイナスイオン２４を含んだ気流が部屋内全体に拡散されるのに非常に時間がかかるという問題があった。また、気流の通路断面積が非常に狭いため排気口１２部での排気抵抗（圧力損失）も大きくなり空気調和機としての風量の低下、騒音値の上昇の原因になっているという問題があった。
【００１３】
次に、紫外線ランプ２５を取付けたソケット２７は、板金で形成された固定台２９にねじ締め固定され、さらに固定台２９は保護カバー下３０にねじ締め固定されている。つまり、紫外線ランプ２５は片側だけを保持されているばかりか、全て剛体によって保持されているため空気調和機本体が使用中に転倒させられたり、持ち運びの際に本体を落された場合、全て剛体によって保持されているため衝撃を吸収する部分が無く、紫外線ランプ２５またはソケット２７に衝撃がそのまま伝わって衝撃により紫外線ランプ２５が破損してしまう。また紫外線ランプ２５が片側だけを保持されているため衝撃によりたわんで、紫外線ランプ２５先端のガラス部分が円筒状の光電子放出材２１の内面に当たりガラス部分が破損してしまうという問題があった。
【００１４】
また、マイナスイオン放出口１９の周辺の本体壁面及びマイナスイオン発生部２３からマイナスイオン放出口１９迄を含む通路の壁面に紫外線ランプ２５の紫外線が反射してマイナスイオン放出口１９から外部に漏れるという問題があった。
【００１５】
本発明は、室内の汚れた空気、臭い空気を吸い込み、浄化、脱臭し、再度室内に循環させると共に、早期に室内空間に微生物及び細菌類が殺菌されたきれいな空気及びオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することを目的とする。
【００１６】
また、本体の転倒や落下などによる衝撃で紫外線ランプが破損してしまうのを防止することを目的とする。
【００１７】
また、紫外線ランプの紫外線がマイナスイオン放出口や気流取入れ口から外部に漏れるのを防止することを目的とする。
【００１８】
【課題を解決するための手段】
上記課題を解決するために本発明は、大気を本体内に吸引する吸気口と、吸引した空気を大気へ放出する排気口と、吸引作用を有する電動送風機と、前記吸引した空気から塵埃および／または臭いを取り除くフィルターと、紫外線を照射する照射源を備え、前記照射源の長手方向を排気の流れ方向に対して略直角に配設した空気調和機である。
【００１９】
上記発明によれば、照射源の長手方向を排気の流れ方向に対して略直角にして照射源の長手方向に排気流路を拡大することで、気流の通路断面積を非常に大きく取ることが出来るため、紫外線を照射することにより排気流を殺菌する範囲及びマイナスイオン発生部を大きくとることが出来、マイナスイオン発生部への流入をより多くすることが出来る。そのため排気口を経て室内に排気される排気の極一部しかマイナスイオン発生部へ流入することが出来ず、微生物及び細菌類が殺菌されると共にマイナスイオンを含んだ気流が部屋内全体に拡散されるのに非常に時間がかかるという問題を解消し早期に部屋内全体に拡散することが出来る。よって早期に室内空間に微生物及び細菌類が殺菌されたきれいな空気及びオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することが出来る。
【００２０】
また、気流の通路断面積を非常に大きく取ることが出来るため、排気口部での排気抵抗（圧力損失）も低減することが出来、空気調和機としての風量の確保、騒音値の上昇を抑制することが出来る。
【００２１】
【発明の実施の形態】
本発明の請求項１記載の発明は、大気を本体内に吸引する吸気口と、吸引した空気を大気へ放出する排気口と、吸引作用を有する電動送風機と、前記吸引した空気から塵埃および／または臭いを取り除くフィルターと、紫外線を照射する照射源を備え、前記照射源の長手方向を排気の流れ方向に対して略直角に配設した空気調和機である。
【００２２】
上記発明によれば、照射源の長手方向を排気の流れ方向に対して略直角にして照射源の長手方向に排気流路を拡大することで、気流の通路断面積を非常に大きく取ることが出来るため、紫外線を照射することにより排気流を殺菌する範囲及びマイナスイオン発生部を大きくとることが出来、マイナスイオン発生部への流入をより多くすることが出来る。そのため排気口を経て室内に排気される排気の極一部しかマイナスイオン発生部へ流入することが出来ず、微生物及び細菌類が殺菌されると共にマイナスイオンを含んだ気流が部屋内全体に拡散されるのに非常に時間がかかるという問題を解消し早期に部屋内全体に拡散することが出来る。よって早期に室内空間に微生物及び細菌類が殺菌されたきれいな空気及びオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することが出来る。
【００２３】
また、気流の通路断面積を非常に大きく取ることが出来るため、排気口部での排気抵抗（圧力損失）も低減することが出来、空気調和機としての風量の確保、騒音値の上昇を抑制することが出来る。
【００２４】
本発明の請求項２記載の発明は、大気を本体内に吸引する吸気口と、吸引した空気を大気へ放出する排気口と、吸引作用を有する電動送風機と、前記吸引した空気から塵埃および／または臭いを取り除くフィルターと、光電子放出材と照射源から構成され該光電子放出材に照射源からの紫外線を照射することで光電子を発生するマイナスイオン発生部を備え、前記照射源の長手方向を排気の流れ方向に対して略直角に配設した空気調和機である。
【００２５】
そして、上記発明によれば、照射源の長手方向を排気の流れ方向に対して略直角にして照射源の長手方向に排気流路を拡大することで、気流の通路断面積を非常に大きく取ることが出来るため、紫外線を照射することにより排気流を殺菌する範囲及びマイナスイオン発生部を大きくとることが出来、マイナスイオン発生部への流入をより多くすることが出来る。そのため排気口を経て室内に排気される排気の極一部しかマイナスイオン発生部へ流入することが出来ず、微生物及び細菌類が殺菌されると共にマイナスイオンを含んだ気流が部屋内全体に拡散されるのに非常に時間がかかるという問題を解消し早期に部屋内全体に拡散することが出来る。
【００２６】
また、気流の通路断面積を非常に大きく取ることが出来るため、排気口部での排気抵抗（圧力損失）も低減することが出来、空気調和機としての風量の確保、騒音値の上昇を抑制することが出来る。
【００２７】
本発明の請求項３記載の発明は、照射源の両端を支持したものである。
【００２８】
そして、上記発明によれば、照射源である紫外線ランプの両端を支持することにより、紫外線ランプが片側だけを保持されているため衝撃によりたわんで、紫外線ランプ先端のガラス部分が円筒状の光電子放出材の内面に当たりガラス部分が破損してしまうという問題を防止し、本体の転倒や落下などによる衝撃で紫外線ランプが破損してしまうのを防止することができる。
【００２９】
本発明の請求項４記載の発明は、照射源の両端をカクヘキのリブと光電子放出材で挟みこんで支持したものである。
【００３０】
そして、上記発明によれば、照射源である紫外線ランプの両端をカクヘキのリブと光電子放出材で挟みこんで支持することにより、紫外線ランプが片側だけを保持されているため衝撃によりたわんで、紫外線ランプ先端のガラス部分が円筒状の光電子放出材の内面に当たりガラス部分が破損してしまうという問題を防止し、本体の転倒や落下などによる衝撃で紫外線ランプが破損してしまうのを防止することができる。
【００３１】
本発明の請求項５記載の発明は、照射源の両端を弾性体を介して支持したものである。
【００３２】
そして、上記発明によれば、照射源である紫外線ランプの両端をゴム等の弾性体を介して支持することにより、本体の転倒や落下などによる衝撃をゴム等の弾性体で吸収し、紫外線ランプまたはソケットに衝撃がそのまま伝わり、衝撃により紫外線ランプが破損してしまうのを防止することが出来る。
【００３３】
本発明の請求項６記載の発明は、照射源の支持部近傍に照射源への給電線の保持部を設けたものである。
【００３４】
そして、上記発明によれば、照射源である紫外線ランプが万が一破損した場合でも紫外線ランプ両端の電極部が垂れ下がって近傍の金属部分に接触するのを防止することが出来る。
【００３５】
本発明の請求項７記載の発明は、紫外線を照射する照射源を備えた排気通路を階段状に構成したものである。
【００３６】
そして、上記発明によれば、排気通路を階段状に曲がりくねらせることでマイナスイオン放出口周辺の本体壁面及びマイナスイオン発生部の排気流取入れ口からマイナスイオン放出口迄を含む通路の壁面に紫外線ランプの紫外線が反射してマイナスイオン放出口や排気流取入れ口から外部に漏れるのを防止することが出来る。
【００３７】
本発明の請求項８記載の発明は、階段状の排気通路のほぼ中央に紫外線を照射する照射源を設けたものである。
【００３８】
そして、上記発明によれば、階段状に曲がりくねらせたマイナスイオン発生部の排気流取入れ口からマイナスイオン放出口迄の排気通路のほぼ中間に照射源を位置させるため、排気流取入れ口とマイナスイオン放出口の両側からの紫外線の漏れを防止することが出来る。
【００３９】
本発明の請求項９記載の発明は、階段状の排気通路壁面に凹部及び／または凸部を設けたものである。
【００４０】
そして、上記発明によれば、通路壁面を凹凸にすることにより紫外線の反射率を抑え、通路壁面の反射で紫外線が外部に漏れるのを防止することが出来る。
【００４１】
本発明の請求項１０記載の発明は、階段状の排気通路壁面に低反射率の層体または膜体を設けたものである。
【００４２】
そして、上記発明によれば、階段状の排気通路の壁面に低反射率の層体または膜体を設けたことにより、マイナスイオン放出口周辺の本体壁面及びマイナスイオン発生部の排気流取入れ口からマイナスイオン放出口迄を含む通路の壁面に紫外線ランプの紫外線が反射してマイナスイオン放出口や排気流取入れ口から外部に漏れるという問題を防止することが出来る。
【００４３】
本発明の請求項１１記載の発明は、低反射率の層体または膜体を難燃性を有する暗色彩の部材としたのである。
【００４４】
そして、上記発明によれば、同様にして紫外線が反射してマイナスイオン放出口や排気流取入れ口から外部に漏れるという問題を防止すると共に難燃性有するため紫外線ランプからの紫外線や放熱による機械的劣化を防止することが出来る。
【００４５】
本発明の請求項１２記載の発明は、階段状の排気通路の入り口及び／または出口から外部に放射される光量を２０ルクス以下としたものである。
【００４６】
そして、上記発明によれば、就寝時等、夜間暗い部屋で使用されても気にならないものである。
【００４７】
本発明の請求項１３記載の発明は、照射源の上流及び／又は下流側に庇を設けたものである。
【００４８】
そして、上記発明によれば、マイナスイオン放出口や排気口から覗き込んでも照射源を直視するのを庇にて防止することが出来、マイナスイオン放出口近傍及び／又は排気流取入れ口近傍の他の部品への紫外線照射を防止すると共に庇で外部からの水侵入時にもマイナスイオン発生部に水がかからないようにすることが出来る。
【００４９】
本発明の請求項１４記載の発明は、上流及び／又は下流側の庇を保護カバーに一体に形成したものである。
【００５０】
そして、上記発明によれば、折り曲げ加工等により上流及び／又は下流側の庇を保護カバーに一体に形成することで、庇部を別部品で形成することなく安価に構成することが出来る。
【００５１】
本発明の請求項１５記載の発明は、紫外線保護カバーの一部に光電子放出材である金メッキ、金蒸着等を施したものである。
【００５２】
そして、上記発明によれば、紫外線保護カバーの一部に金メッキ、金蒸着等を施すことにより紫外線保護カバーの一部に光電子放出材を形成し、別部品を設けることなく安価に構成することが出来る。
【００５３】
本発明の請求項１６記載の発明は、紫外線保護カバーの内壁面に光電子放出材である金メッキ、金蒸着等を施したものである。
【００５４】
そして、上記発明によれば、紫外線保護カバーの内壁面に金メッキ、金蒸着等を施すことにより紫外線保護カバーの内壁面に光電子放出材を形成し、別部品を設けることなく安価に構成することが出来る。
【００５５】
本発明の請求項１７記載の発明は、金メッキ、金蒸着等を施した光電子放出材を負の電位にしたものである。
【００５６】
そして、上記発明によれば、光電子放出材から発生した光電子が光電子放出材の負の電位と電気的に反発して、光電子が光電子放出材に戻るのを防止することが出来、その結果マイナスイオンの発生量を増加させることが出来る。
【００５７】
本発明の請求項１８記載の発明は、マイナスイオン放出口の長手方向の寸法を排気口の長手方向の寸法の５０％以上としたものである。
【００５８】
そして、上記発明によれば、微生物及び細菌類が殺菌されると共にマイナスイオンを含んだ気流を更に効果的に部屋内全体に拡散することが出来る。
【００５９】
本発明の請求項１９記載の発明は、マイナスイオン放出口と排気口を略平行に設けたものである。
【００６０】
そして、上記発明によれば、マイナスイオン放出口部分での気流の吹出し抵抗を低減し微生物及び細菌類が殺菌されると共にマイナスイオンを含んだ気流をスムーズに部屋内全体に拡散することが出来る。
【００６１】
本発明の請求項２０記載の発明は、マイナスイオン放出口の長手方向の格子形状線を本体外郭形状に沿わせたものである。
【００６２】
そして、上記発明によれば、同様にしてマイナスイオン放出口部分での気流の吹出し抵抗を低減し、微生物及び細菌類が殺菌されると共にマイナスイオンを含んだ気流をスムーズに部屋内全体に拡散することが出来ると共に本体外観デザインを良好にすることが出来る。
【００６３】
本発明の請求項２１記載の発明は、マイナスイオン放出口の格子リブの高さを４〜１０ｍｍとしたものである。
【００６４】
そして、上記発明によれば、マイナスイオン放出口の格子リブの高さを４〜１０ｍｍとすることにより、階段状の排気通路や庇で乱流になりかけた排気流をマイナスイオン放出口部で整流して外部に放出することが出来る。
【００６５】
【実施例】
以下、本発明の実施例について図面を用いて説明する。
【００６６】
（実施例１）
図１は本発明の実施例１の空気調和機を示す側面の断面図である。
【００６７】
図１〜図１６において、本体前面を成すフロントグリル５０、中間部を成す本体隔壁５１、後部を成しさげて部５２を有する本体後５３、本体上面を成す本体上５４で本体を形成し、本体前面のフロントグリル５０には凹状の中央部５０ａに前面吸気口５５が設けられている。前記前面吸気口５５は、本体の中心より左右両側に向けてくい切りの開口部５５ａが形成されている。また、本体後５３の左右両側にも本体後方に向けて開口する後面吸気口５６が形成されている。５７は、本体隔壁５１と本体後５３との間に形成された渦室で、内部にはモータ５８に連結されたファン５９を有して電動送風機を構成している。本体隔壁５１の前面には吸い込み口６０とリブ６１が設けられており、リブ６１は、その前面に配置した脱臭用の活性炭フィルターと集塵用の帯電フィルターを合わせたフィルター６２を支持している。
【００６８】
また前記吸い込み口６０はモータ５８及びファン５９から構成される電動送風機と連通している。６３は、本体後５３の上方に形成された排気口で、本体隔壁５１と本体後５３との間に形成された渦室５７へと連通している。フロントグリル５０を取り外した内側には、本体前６４が本体の前面上方に配設され、前面に表示部６５、切り替えスイッチ６６、ランプ表示部６７、及び空気中の臭いを検知する臭い検知センサ６８、空気中の塵埃の多少を検知する粒子検知センサ６９の各々が配置されている。本体前６４の内部には制御回路７０と上記各センサを有し、運転操作は、上記切り替えスイッチ６６により操作することができる。本体上５４は、本体隔壁５１上部で本体前６４と本体後５３によって挟み込まれ、マイナスイオン放出口７１を有している。
【００６９】
また、マイナスイオン放出口７１を有する本体上５４は、帯電防止樹脂材にて形成されており、その壁面の表面抵抗値は１Ｘ１０８〜１０１２Ωで帯電防止処理を施してある。ここでは、帯電防止樹脂材にて壁面の表面抵抗値を１Ｘ１０８〜１０１２Ωにしているが帯電防止塗料の塗布つまりは塗装や帯電防止剤の塗布によって帯電防止処理を施してもよい。帯電防止剤の塗布は、帯電防止剤を布や綿につけて本体上５４を軽く拭く、あるいはスプレーやディップ（浸漬）等の塗布によって帯電防止処理を施すことにより、非常に簡単且つ容易に帯電防止処理を施すことができる。
【００７０】
また前記マイナスイオン放出口７１と排気口６３は、略平行に設けられ、マイナスイオン放出口７１の長手方向の格子形状線は本体外郭形状の線に沿わせて形成されている。さらには、マイナスイオン放出口７１の長手方向の寸法は排気口６３の長手方向の寸法の５０％以上になるように形成されている。
【００７１】
またマイナスイオン放出口７１の格子リブ７１ａの高さは、４ｍｍで形成されており、範囲としては４〜１０ｍｍが好ましい。格子リブ７１ａの高を４〜１０ｍｍとすることにより、階段状の排気通路や庇で乱流になりかけた排気流をマイナスイオン放出口７１部で整流して外部に放出することが出来る。
【００７２】
上記フロントグリル５０は、下部に形成した引っ掛け部７２を本体隔壁５１の下方に形成した嵌合穴７３に挿入し、次にフロントグリル５０上部左右の両側に設けた爪７４を本体前６４の左右の両側に設けた係合部７４ａに係合することにより着脱自在に取り付けている。７５は、本体隔壁５１の下部に一体に形成された台座部である。
【００７３】
本体前面には凹状の中央部５０ａが設けられ湾曲しており、内部の制御回路７０は板状のプリント基板７０ａから成るため制御回路７０上に配設された発光体７６から前面の表示部６５迄の距離は一定ではない。そのため同一高さの発光体７６の表示部６５表示面まで高さの異なる透明棒体６５ａを同一高さの発光体７６に近接させ、透明棒体６５ａの高さに応じて発光体７６の輝度を制御回路７０にて可変させている。つまり、透明棒体６５ａの高さが高い程（表示面までの距離が遠い程）発光体７６の輝度を大きくして明るくするようにし、表示部６５の表示面での表示の明るさが均一になるようにしている。
【００７４】
７７は、殺菌及びマイナスイオン発生部ユニットで内部に光電子放出材７８とその光電子放出材７８に紫外線を照射する照射源７９とから成るマイナスイオン発生部８０を有する。マイナスイオン発生部８０は、光電子放出材７８、該光電子放出材７８への紫外線の照射源７９より構成され、光電子放出材７８は、光電子放出材７８の表面に、紫外線を照射しながら、該光電子放出材７８の表面に気流を導入して該光電子放出材７８の表面に光電子（マイナスイオン８１）を発生させるものである。紫外線を照射する照射源７９としては紫外線ランプ８２を用い周囲を通過する空気流に紫外線を照射することにより通過する空気流の殺菌をも行い、内部には電極８３ａ及び水銀蒸気８３ｂを有するランプ部８３と弾性体であるゴム製の保護部８４そして電極８３ａへの電力の供給を行う給電線８５を各々両端に有している。
【００７５】
また紫外線を照射する照射源７９は、駆動回路８６に接続され、前記駆動回路８６はさらに制御回路７０に接続されており、照射源７９の照射をＯＮ−ＯＦＦ間欠させたり、照射源７９の紫外線照射強度を可変したりする等の制御が行われている。
【００７６】
光電子放出材７８は、板状の金属の材料で、ここでは黄銅（真鍮）から成り、前記板状の内面を含む全体にＡｕ（金）の表層を有する表面処理が施されている。ここではＡｕ（金）メッキが施されているが、Ａｕ（金）蒸着でもよい。そして、板状に曲げ加工を行なった後に前記Ａｕ（金）メッキの表面処理を施したものである。また光電子放出材７８には、端子接続部８７が一体に形成されており、制御回路７０へ導通した端子８８が接続されている。また金メッキ、金蒸着等を施した光電子放出材７８は、上記端子８８によって制御回路７０へ接続され負の電位に保たれている。
【００７７】
紫外線ランプ８２は、両端の弾性体であるゴム製の保護部８４を介して本体隔壁５１の支持リブ８９と光電子放出材７８のフランジ部９０で挟みこんで支持され、さらに光電子放出材７８を本体隔壁５１にねじ締めすることにより保持、固定されている。
【００７８】
前記紫外線を照射する照射源７９である紫外線ランプ８２は、同照射源７９である紫外線ランプ８２の長手方向を排気の流れ方向に対して略直角になるように配設されている。
【００７９】
保護カバー９１は、殺菌及びマイナスイオン発生部ユニット７７部を上方から覆うように取り付けられており、紫外線ランプ８２から照射される紫外線が外部に漏れないようにすると共に気流が通る通路を形成しており、マイナスイオン発生部８０への気流のガイドとなる気流取入れ口９２やマイナスイオン放出口７１までの流路を形成している。そして、紫外線を照射する照射源７９を備えた排気通路は階段状に構成され、排気通路を階段状に曲がりくねらせることでマイナスイオン放出口７１周辺の本体壁面及びマイナスイオン発生部８０の排気流取入れ口９２からマイナスイオン放出口７１迄を含む通路の壁面に紫外線ランプ８２の紫外線が反射してマイナスイオン放出口７１や気流取入れ口９２から外部に漏れるのを防止している。
【００８０】
また前記階段状の排気通路のほぼ中央に紫外線を照射する照射源７９である紫外線ランプ８２は設けられている。
【００８１】
９３は、階段状の排気通路壁面に貼り付けられた低反射率の難燃性を有する暗色彩の部材からなる反射防止体で通路の壁面に紫外線ランプ８２の紫外線が反射してマイナスイオン放出口７１や気流取入れ口９２から外部に漏れるのを防止する為のものである。
【００８２】
また殺菌及びマイナスイオン発生部ユニット７７の気流取入れ口９２は、トング部９４の形状に沿って設けられており、そのトング部９４上にも反射防止体９３が貼り付けられている。
【００８３】
９５は、保護カバー９１の上部でマイナスイオン放出口７１側つまり、排気流の下流側に形成された庇Ａで、マイナスイオン放出口７１や排気口６３から覗き込んでも照射源７９を直視するのを防止している。また、マイナスイオン放出口７１近傍の他の部品への紫外線照射を防止すると共に外部からの水侵入時にもマイナスイオン発生部８０に水がかからないようにしている。
【００８４】
９６は、保護カバー９１の下部で気流取入れ口９２側つまり、排気流の上流側に形成された庇Ｂで、庇Ａ９５と同様に照射源７９の直視防止及び、他の部品への紫外線照射を防止している。また庇Ａ９５、庇Ｂ９６は、折り曲げ加工により保護カバー９１に一体に形成されており、庇部を別部品で形成することなく安価に構成することが出来る。
【００８５】
また庇Ａ９５、庇Ｂ９６は、マイナスイオン発生部８０の上流側、下流側の両方に設けているが、上流側、下流側のどちらか片側だけに設けても良く、同様の効果が得られる。
【００８６】
９７は、紫外線ランプ８２の電極８３ａへの電力の供給を行う給電線８５の保持を行う保持部で照射源７９である紫外線ランプ８２の支持部の近傍に設けられている。
【００８７】
上記構成において、動作を説明すると、切り替えスイッチ６６によりモータ５８を回転させると、同モータ５８に連結されたファン５９が回転し、前面吸気口５５と後面吸気口５６より空気が吸い込まれる。吸引された気流は活性炭フィルターと帯電フィルターを合わせたフィルター６２を通り、排気口６３へと排気されて空気が脱臭、浄化されていく。
【００８８】
また自動運転では、室内の空気の汚れに応じて各々のセンサが検知を行う。ほこり等を粒子検知センサ６９が検知し、タバコ煙等の臭いを臭い検知センサ６８が検知し、各々の濃度によって変化する各センサの出力に応じて制御回路７０がモータ５８を制御して運転を行う。
【００８９】
そして、フィルター６２を通り、排気口６３へと排気される空気は、トング部９４の形状に沿って設けられた殺菌及びマイナスイオン発生部ユニット７７の気流取入れ口９２より排気の一部が流れ込みマイナスイオン発生部８０へと流入する。マイナスイオン発生部８０へと流入した気流は、紫外線ランプ８２から照射される紫外線により空気中のウイルス、バクテリア、酵母、かび等の微生物及び細菌類が殺菌されると共にマイナスイオン８１が生成される。即ち、光電子放出材７８に、紫外線ランプ８２からの紫外線を照射することにより光電子（マイナスイオン）８１が得られる。このようにして得られた、殺菌され且つマイナスイオン８１を含んだ気流は、マイナスイオン放出口７１より放出される。この時、排気口６３を経て室内に排気されるこの気流に乗せて微生物及び細菌類が殺菌されると共にマイナスイオン８１を含んだ気流は部屋内全体に拡散され、部屋内の微生物及び細菌類の量は徐々に低下し、きれいな空気になっていくと共にマイナスイオン８１によって微粒子等を電気的に中和もしくは負の電荷を帯びさせ安定な室内空間を提供することが出来る。
【００９０】
そして、照射源７９である紫外線ランプ８２の長手方向を排気の流れ方向に対して略直角にして照射源７９の長手方向に排気流路を拡大することで、気流の通路断面積を非常に大きく取ることが出来るため、紫外線を照射することにより排気流を殺菌する範囲及びマイナスイオン発生部８０を大きくとることが出来、マイナスイオン発生部８０への流入をより多くすることが出来る。そのため排気口６３を経て室内に排気される排気の極一部しかマイナスイオン発生部８０へ流入することが出来ず、微生物及び細菌類が殺菌されると共にマイナスイオン８１を含んだ気流が部屋内全体に拡散されるのに非常に時間がかかるという問題を解消し早期に部屋内全体に拡散することが出来る。よって早期に室内空間に微生物及び細菌類が殺菌されたきれいな空気及びオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することが出来る。
【００９１】
また、気流の通路断面積を非常に大きく取ることが出来るため、排気口部６３での排気抵抗（圧力損失）も低減することが出来、空気調和機としての風量の確保、騒音値の上昇を抑制することが出来る。
【００９２】
また照射源７９である紫外線ランプ８２の両端を支持することにより、紫外線ランプ８２が片側だけを保持されているため衝撃によりたわんで、紫外線ランプ８２のランプ８３のガラス部分が近傍の部品に当たりガラス部分が破損してしまうという問題を防止し、本体の転倒や落下などによる衝撃で紫外線ランプ８２が破損してしまうのを防止することが出来る。
【００９３】
そして、照射源７９である紫外線ランプ８２の両端を本体隔壁５１の支持リブ８９と光電子放出材７８のフランジ部９０で挟みこんで支持することにより、紫外線ランプ８２が片側だけを保持されているため衝撃によりたわんで、紫外線ランプ８２のランプ８３のガラス部分が近傍の部品に当たりガラス部分が破損してしまうという問題を防止し、本体の転倒や落下などによる衝撃で紫外線ランプ８２が破損してしまうのを防止することができる。
【００９４】
さらには、照射源７９である紫外線ランプ８２の両端をゴム等の弾性体である保持部８４を介して支持することにより、本体の転倒や落下などによる衝撃をゴム等の弾性体である保持部８４で吸収し、紫外線ランプ８２に衝撃がそのまま伝わり、衝撃により紫外線ランプ８２が破損してしまうのを防止することが出来る。
【００９５】
また照射源７９の支持部近傍に照射源７９への給電線８５の保持部９７を設けているため、照射源７９である紫外線ランプ８２が万が一破損した場合でも紫外線ランプ８２両端の電極部８３ａが垂れ下がって近傍の金属部分に接触するのを防止することが出来る。
【００９６】
また排気通路を階段状に曲がりくねらせることでマイナスイオン放出口７１周辺の本体壁面及びマイナスイオン発生部８０の気流取入れ口９２からマイナスイオン放出口７１迄を含む通路の壁面に紫外線ランプ８２の紫外線が反射してマイナスイオン放出口７１や気流取入れ口９２から外部に漏れるのを防止することが出来る。
【００９７】
そして、階段状に曲がりくねらせたマイナスイオン発生部８０の気流取入れ口９２からマイナスイオン放出口７１迄の排気通路のほぼ中間に照射源７９である紫外線ランプ８２を位置させるため、気流取入れ口９２とマイナスイオン放出口７１の両側からの紫外線の漏れを防止することが出来る。
【００９８】
また階段状の排気通路の壁面に低反射率の反射防止体９３を設けたことにより、マイナスイオン放出口７１周辺の本体壁面及びマイナスイオン発生部８０の気流取入れ口９２からマイナスイオン放出口７１迄を含む通路の壁面に紫外線ランプ８２の紫外線が反射してマイナスイオン放出口７１や気流取入れ口９２から外部に漏れるという問題を防止することが出来る。
【００９９】
また壁面を低反射率としたことにより、紫外線ランプ８２からの紫外線だけでなく可視光が気流取入れ口９２とマイナスイオン放出口７１の両側から漏れるのを防止することが出来、夜間暗い部屋で使用されても気にならないものである。
【０１００】
そして、夜間暗い部屋で使用されても気にならないようにするためには、マイナスイオン放出口７１や排気口６３からもれる可視光は２０ルクス以下に抑える必要があり、好ましくは１０ルクス以下に抑える必要がある。２０ルクス以下に抑えれば、就寝時等、夜間暗い部屋で使用されても気にならないものである。
【０１０１】
そして、低反射率の反射防止体９３を難燃性を有する暗色彩の部材としているため、同様にして紫外線が反射してマイナスイオン放出口７１や気流取入れ口９２から外部に漏れるという問題を防止すると共に難燃性有するため紫外線ランプ８２からの紫外線や放熱による機械的劣化を防止することが出来る。さらには、照射源７９である紫外線ランプ８２が万が一破損して電極部８３ａが低反射率の反射防止体９３に接触しても難燃性を有するため、発火などの恐れがない。
【０１０２】
また保護カバー９１の上部で排気流の下流側に形成された庇Ａ９５及び保護カバー９１の下部で排気流の上流側に形成された庇Ｂ９６と照射源７９の上流及び下流側の両方に庇を設けているため、マイナスイオン放出口７１や排気口６３から覗き込んでも照射源７９を直視するのを防止するとともに、マイナスイオン放出口７１及び気流取入れ口９２近傍の他の部品への紫外線照射を防止すると共に外部からの水侵入時にもマイナスイオン発生部８０に水がかからないようにすることが出来る。
【０１０３】
また庇Ａ９５、庇Ｂ９６は、折り曲げ加工により保護カバー９１に一体に形成されており、庇部を別の板金部品で形成した後スポット溶接等にて取付ける形態で構成することなく安価に構成することが出来る。
【０１０４】
また庇Ａ９５、庇Ｂ９６は、マイナスイオン発生部８０の上流側、下流側の両方に設けているが、上流側、下流側のどちらか片側だけに設けても良く、各々同様の効果が得られる。
【０１０５】
また金メッキ、金蒸着等を施した光電子放出材７８を負の電位にしているため、光電子放出材７８から発生した光電子が光電子放出材７８の負の電位と電気的に反発して、光電子が光電子放出材７８に戻るのを防止することが出来、その結果マイナスイオン８１の発生量を増加させることが出来る。
【０１０６】
またマイナスイオン放出口７１の長手方向の寸法を排気口６３の長手方向の寸法の５０％以上としているため、マイナスイオン放出口７１から放出される排気風量を多く確保することが出来、微生物及び細菌類が殺菌されると共にマイナスイオン８１を含んだ気流を更に効果的に部屋内全体に拡散することが出来る。
【０１０７】
そして、マイナスイオン放出口７１と排気口６３を略平行に設けているため、マイナスイオン放出口７１部分での気流の吹出し抵抗を低減し微生物及び細菌類が殺菌されると共にマイナスイオン８１を含んだ気流をマイナスイオン放出口７１部分からスムーズに排気することが出来るとともに、吹出し抵抗を低減することで排気吹き出しによる音を低減することが出来る。
【０１０８】
さらには、マイナスイオン放出口７１の長手方向の格子形状線を本体外郭形状に沿わせているため、同様にしてマイナスイオン放出口７１部分での気流の吹出し抵抗を低減し、微生物及び細菌類が殺菌されると共にマイナスイオン８１を含んだ気流をスムーズに部屋内全体に拡散することが出来ると共に本体外観デザインを良好にすることが出来る。
【０１０９】
またマイナスイオン放出口７１の格子リブ７１ａの高さを４ｍｍで形成しているため、階段状の排気通路や庇で乱流になりかけた排気流をマイナスイオン放出口７１部で整流して外部に放出することが出来る。ここでは、格子リブ７１ａの高さを４ｍｍで形成しているが、範囲としては４〜１０ｍｍが好ましく、格子リブ７１ａの高を４〜１０ｍｍとすることにより、上記と同様の効果が得られるものである。
【０１１０】
そして、モータ５８、ファン５９から成る電動送風機からの気流の一部をマイナスイオン発生部８０内に通す量としては、電動送風機からの気流の０．５％から１５％を通すのが適しており、好ましくは０．５％から５％を通すのが適している。また風量値では、０．０５ｍ３／分から１．０ｍ３／分を通すのが適しており、好ましくは０．１ｍ３／分から０．５ｍ３／分の風量を通すのが適している。マイナスイオン発生部８０内に通す気流の量が増えれば紫外線により空気中のウイルス、バクテリア、酵母、かび等の微生物及び細菌類を殺菌する風量を増加させ、且つマイナスイオン８１の発生量を増加させることが出来るが、その分空気調和機本体の気流の圧損となるため、空気調和機本体の吸排気量が低下し、室内空気の脱臭、浄化性能が低下ばかりか、殺菌やマイナスイオン８１の発生量を増加させたとしても室内への拡散、放出の低下を招くこととなる。殺菌及びマイナスイオン８１の発生量を増加させ室内空気の脱臭、浄化性能を多少犠牲にした場合、気流の０．５％から１５％あるいは０．０５ｍ３／分から１．０ｍ３／分の風量を通すのが適しているが、０．５％から５％あるいは０．１ｍ３／分から０．５ｍ３／分の風量を通して気流の圧損にならず、清浄効果を確保しながら殺菌する風量とマイナスイオン８１を多く発生させ、殺菌する風量とマイナスイオン８１の発生量を安定させることが好ましい。そして、上記に述べた範囲に設定することにより、気流の圧損にならず、清浄効果を確保しながら殺菌する風量とマイナスイオン８１を多く発生させ、殺菌する風量とマイナスイオン８１の発生量を安定させることが出来る。
【０１１１】
そして、モータ５８、ファン５９から成る電動送風機からの気流が最も多く衝突するトング部９４に沿って殺菌及びマイナスイオン発生部ユニット７７の気流取入れ口９２が設けられているため、気流がトング形状に沿ってスムーズに気流取入れ口９２に流れ込むことが出来、多くの殺菌された風量と多数のマイナスイオン８１の発生と放出を行うことが出来る。
【０１１２】
保護カバー９１は、上方から覆うように取り付け、内部のマイナスイオン発生部８０の周囲を保護しており、紫外線ランプ８２から照射される紫外線が外部に漏れないようにすると共に気流が通る通路を形成しており、マイナスイオン発生部８０への気流のガイドとなる気流取入れ口９２やマイナスイオン放出口７１までの流路を形成している。そして、上記構成により、照射源７９から照射される紫外線が本体外部に漏れるのを防止すると共に、マイナスイオン発生部８２への気流のガイドとなる気流取入れ口９２やマイナスイオン放出口７１までの流路を形成させている。
【０１１３】
上記保護カバー９１の材質は、亜鉛メッキ鋼鈑、カラー鋼鈑等の金属から成り、照射源７９から照射される紫外線に対する材料の劣化を防止している。ここでは、亜鉛メッキ鋼鈑、カラー鋼鈑等のメッキ鋼鈑や塗装鋼鈑をあげているが、他の物でもよく要は照射源７９から照射される紫外線に対し劣化し難い材料であればよい。排気口６３から覗かれる場合を考慮すれば、本体色に近い色のカラー鋼鈑を用いれば保護色となり外観的に不具合で無くなる。
【０１１４】
また、上記保護カバー９１の材質を合成樹脂に紫外線吸収剤を添加した材料にて形成したものでもよく、その場合、照射源７９から照射される紫外線に対する材料の劣化を紫外線吸収剤を添加することにより防止し、且つ合成樹脂によるため、保護カバー上９１の加工が一般的には金型による樹脂成形加工となり、加工、成形を容易にすると共に安価に提供することが出来るものである。合成樹脂の材料としては、ポリカーボネートやアクリル等が適している。
【０１１５】
また、光電子放出材７８に黄銅（真鍮）を用いているが、黄銅（真鍮）は導電性に優れ、且つメッキ、蒸着等のＡｕの層を有する表面処理を施しやすい特徴を持つ。マイナスイオン８１の発生量を安定して多数得るためには、制御回路７０へ導通した光電子放出材７８が導電性に優れ常に光電子を放出し続けることが最も重要となる。そのため、光電子放出材７８には、導電性に優れた黄銅、青銅、りん青銅等の材質が適しており、またこれらの材料はメッキ、蒸着時の密着性にも優れ、Ａｕの層を有する表面処理を容易に施すことが出来る。
【０１１６】
また光電子放出材７８には、端子接続部８７が一体に形成されており、制御回路７０へ導通した端子８８が接続されているため、別部品として端子接続部を設ける必要がなく、安価に形成することが出来る。
【０１１７】
また紫外線を照射する照射源７９は、駆動回路８６に接続され、前記駆動回路８６はさらに制御回路７０に接続されており、照射源７９の照射をＯＮ−ＯＦＦ間欠させたり、照射源７９の紫外線照射強度を可変したりする等の制御が行われているが、まず照射源７９の照射をＯＮ−ＯＦＦ間欠とした場合は、照射源７９である紫外線ランプ８２をＯＮ−ＯＦＦ間欠点灯させることにより、照射源７９である紫外線ランプ８２トータルとしての寿命を伸ばすことが出来、またマイナスイオン８１の出し過ぎを調整、制御することが出来、自然界に近いマイナスイオンの発生とすることができる。
【０１１８】
次に、照射源７９の紫外線照射強度を可変した場合は、紫外線の照射強度が高くなれば、空気中のウイルス、バクテリア、酵母、かび等の微生物及び細菌類を殺菌する殺菌力は向上され、マイナスイオン８１の発生量は増加し、照射強度が低くなれば微生物及び細菌類を殺菌する殺菌力は弱まり、マイナスイオン８１の発生量は低下することから照射源７９である紫外線ランプ８２の紫外線照射強度を可変することにより微生物及び細菌類を殺菌する殺菌力及びマイナスイオン８１の発生量を制御することができ、そして温度、湿度等の使用環境や臭い検知センサ６８、粒子検知センサ６９の各センサの検知した室内空気の汚染度合い等の使用状態に応じて照射源７９の紫外線照射強度を可変することにより、微生物及び細菌類を殺菌する殺菌力及びマイナスイオン８１の発生量を可変制御することが出来、自然界に近い殺菌力及びマイナスイオン８１の発生とすることができる。
【０１１９】
（実施例２）
図１７、図１８は本発明の実施例２の空気調和機を示す側断面図及び保護カバーの単品図である。
【０１２０】
本実施例２において、実施例１と異なる点は階段状の排気通路壁面に凹部１００及び凸部１０１を設け、また保護カバー１０２の内壁面の一部に光電子放出材１０３であるＡｕ（金）の表層を有する表面処理を施したものである。ここではＡｕ（金）メッキが施されているが、Ａｕ（金）蒸着でもよい。
【０１２１】
なお、実施例１と同一符号のものは同一構造を有し、説明は省略する。
【０１２２】
次に動作、作用を説明すると、階段状の排気通路壁面を凹部１００及び凸部１０１によって凹凸にすることにより紫外線の反射率を抑え、通路壁面の反射で紫外線が外部に漏れるのを防止することが出来る。またここでは、凹部１００、凸部１０１の両方を階段状の排気通路壁面に設けているが、凹部１００、凸部１０１のどちらか片側だけを設けても良く、同様の効果が得られることは言うまでもない。
【０１２３】
また保護カバー１０２の一部に金メッキ、金蒸着等を施して、保護カバー１０２の一部に光電子放出材１０３を形成したことにより、別部品として金メッキ、金蒸着等を施した板金部品を設けることなく安価に構成することが出来る。
【０１２４】
またここでは、保護カバー１０２の内壁面の一部に光電子放出材１０３である金メッキ、金蒸着等を施した例を示したが、保護カバー１０２の内壁面全域に光電子放出材１０３である金メッキ、金蒸着等を施したものでもよく要は、照射源７９である紫外線ランプ８２からの紫外線が照射される部分の保護カバー１０２の面に金メッキ、金蒸着等を施すことにより、光電子放出材１０３を別部品で設けることなく、保護カバー１０２の一部に光電子放出材１０３を形成出来ればよい。
【０１２５】
【発明の効果】
本発明によれば、室内の汚れた空気、臭い空気を吸い込み、浄化、脱臭し、再度室内に循環させると共に、早期に室内空間に微生物及び細菌類が殺菌されたきれいな空気及びオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供できる。また、本体の転倒や落下などによる衝撃で紫外線ランプが破損してしまうのを防止できる。また、紫外線ランプの紫外線がマイナスイオン放出口や気流取入れ口から外部に漏れるのを防止できる。
【図面の簡単な説明】
【図１】本発明の実施例１における空気調和機の部分側断面図
【図２】同空気調和機の側断面図
【図３】同空気調和機の側面図
【図４】同空気調和機の平面図
【図５】同空気調和機の部分断面を含む平面図
【図６】同空気調和機の平面の断面図
【図７】同空気調和機の透明棒状体を示した断面図
【図８】同空気調和機の部分断面を含む正面図
【図９】同空気調和機のフロントグリルを外した状態の正面図
【図１０】同空気調和機のフロントグリルの爪部を示した断面図
【図１１】同空気調和機の本体後を外した状態の裏面図
【図１２】同空気調和機の殺菌及びマイナスイオン発生部ユニット部を示した図
【図１３】同空気調和機の保護カバーを外した状態の殺菌及びマイナスイオン発生部ユニット部を示した図
【図１４】同空気調和機の光電子放出材を外した状態の殺菌及びマイナスイオン発生部ユニット部を示した図
【図１５】同空気調和機の保護カバーを示した図
【図１６】同空気調和機の光電子放出材を示した図
【図１７】本発明の実施例２における空気調和機の部分側断面図
【図１８】同空気調和機の保護カバーを示した図
【図１９】従来の空気調和機の側断面図
【図２０】同空気調和機の側面図
【図２１】同空気調和機の部分断面を含む正面図
【図２２】同空気調和機の平面図
【図２３】同空気調和機のマイナスイオン発生部ユニット部を示した断面図
【図２４】同空気調和機のマイナスイオン発生部ユニット部を示した図
【図２５】同空気調和機の透明棒状体を示した断面図
【符号の説明】
５４　本体上
５５　前面吸気口
５６　後面吸気口
５８　モータ
５９　ファン
６２　フィルター
６３　排気口
７０　制御回路
７１　マイナスイオン放出口
７７　殺菌及びマイナスイオン発生部ユニット
７８　光電子放出材
７９　照射源
８０　マイナスイオン発生部
８２　紫外線ランプ
８３　ランプ部
８４　保護部
８５　給電線
８６　駆動回路
８９　支持リブ
９０　フランジ部
９１　保護カバー
９２　気流取入れ口
９３　反射防止体
９４　トング部
９５　庇Ａ
９６　庇Ｂ
９７　保持部
【図１】
2004020144.tif 000003
【図２】
2004020144.tif 000004
【図３】
2004020144.tif 000005
【図４】
2004020144.tif 000006
【図５】
2004020144.tif 000007
【図６】
2004020144.tif 000008
【図７】
2004020144.tif 000009
【図８】
2004020144.tif 000010
【図９】
2004020144.tif 000011
【図１０】
2004020144.tif 000012
【図１１】
2004020144.tif 000013
【図１２】
2004020144.tif 000014
【図１３】
2004020144.tif 000015
【図１４】
2004020144.tif 000016
【図１５】
2004020144.tif 000017
【図１６】
2004020144.tif 000018
【図１７】
2004020144.tif 000019
【図１８】
2004020144.tif 000020
【図１９】
2004020144.tif 000021
【図２０】
2004020144.tif 000022
【図２１】
2004020144.tif 000023
【図２２】
2004020144.tif 000024
【図２３】
2004020144.tif 000025
【図２４】
2004020144.tif 000026
【図２５】
2004020144.tif 000027